(57)【要約】【課題】表示内容を視認するユーザの利便性を高めることが可能な情報表示端末、情報表示方法、及び情報表示プログラムを提供する。【解決手段】情報表示端末１によれば、表示領域において押圧されると押圧位置及び圧力が検知され、検知された圧力に基づく倍率で、検知された押圧位置を含む、表示領域における一部領域が拡大表示される。このように、拡大表示する場合であっても表示領域全体を再描画する必要がないことから、表示内容を視認するユーザの利便性を高めることができる。更に、表示領域全体を再描画する必要がないことから、拡大表示前の表示領域におけるどのあたりが拡大表示されたかをユーザが見失ってしまうことがないため、表示内容を視認するユーザの利便性を高めることができる。【選択図】図７
2014191611.tif 000002
【特許請求の範囲】
【請求項１】
表示領域において情報を表示する表示手段を備える情報表示端末であって、
前記表示領域において押圧されると押圧位置及び圧力を検知する圧力検知手段と、
前記検知された前記圧力に基づく倍率で、前記検知された前記押圧位置を含む、前記表示領域における一部領域を拡大表示させる表示制御手段と、
を更に備えることを特徴とする情報表示端末。
【請求項２】
前記圧力検知手段は、前記圧力の変化をリアルタイムに検知することが可能であり、
前記表示制御手段は、前記リアルタイムに検知された前記圧力の変化に基づく倍率で、前記検知された前記押圧位置を含む前記一部領域をリアルタイムに拡大表示させる、
ことを特徴とする請求項１に記載の情報表示端末。
【請求項３】
前記圧力検知手段は、前記押圧位置の変化をリアルタイムに検知することが可能であり、
前記表示制御手段は、前記リアルタイムに検知された前記押圧位置の変化に基づいて、拡大表示させる前記一部領域をリアルタイムに移動させる、
ことを特徴とする請求項１又は２に記載の情報表示端末。
【請求項４】
前記倍率の変更を指示する入力を受け付けることが可能な入力受付手段を更に備え、
前記表示制御手段は、前記受け付けられた前記入力に基づいて前記倍率を決定して、前記検知された押圧位置を含む前記一部領域を拡大表示させる、
ことを特徴とする請求項１〜３の何れか１項に記載の情報表示端末。
【請求項５】
当該情報表示端末にかかる重力加速度の向きを検知する加速度検知手段を更に備え、
前記表示制御手段は、前記検知された前記加速度の向きに基づいて前記倍率を決定して、前記検知された押圧位置を含む前記一部領域を拡大表示させる、
ことを特徴とする請求項１〜４の何れか１項に記載の情報表示端末。
【請求項６】
当該情報表示端末にかかる重力加速度の向きを検知する加速度検知手段を更に備え、
前記表示制御手段は、前記検知された前記加速度の向きに基づいて、拡大表示させる前記一部領域を移動させる、
ことを特徴とする請求項１〜４の何れか１項に記載の情報表示端末。
【請求項７】
表示領域において情報を表示する表示手段を備える情報表示端末が行う情報表示方法であって、
前記表示領域において押圧されると押圧位置及び圧力を検知する圧力検知ステップと、
前記検知された前記圧力に基づく倍率で、前記検知された前記押圧位置を含む、前記表示領域における一部領域を拡大表示させる表示制御ステップと、
を有することを特徴とする情報表示方法。
【請求項８】
表示領域において情報を表示する表示手段を備える情報表示端末に、
前記表示領域において押圧されると押圧位置及び圧力を検知する圧力検知機能と、
前記検知された前記圧力に基づく倍率で、前記検知された前記押圧位置を含む、前記表示領域における一部領域を拡大表示させる表示制御機能と、
を実現させることを特徴とする情報表示プログラム。
【発明の詳細な説明】
【技術分野】
【０００１】
本発明は、情報表示端末、情報表示方法、及び情報表示プログラムに関する。
【背景技術】
【０００２】
従来、スマートフォン、携帯電話端末、ノートパソコン等のモバイル端末における画面上の文字等の表示を見やすくする技術が提案されている。例えば特許文献１に記載の表示装置は、当該表示装置本体の体勢及び移動状態の少なくとも一方を検出し、この検出情報に基づいて表示状態を変更させる。
【先行技術文献】
【特許文献】
【０００３】
【特許文献１】特開平９−３１１６２５号公報
【発明の概要】
【発明が解決しようとする課題】
【０００４】
しかしながら、特許文献１には、例えば、表示される地図画像としての東西南北が実際の東西南北と一致するように表示の向き等の表示状態を変更させることに関して記載されているものの、拡大表示して画面上の文字等の表示を見やすくすることに関して何ら考慮されていない。
【０００５】
拡大表示する場合は通常、表示領域全体を再描画する必要があり、再描画時の装置の処理能力によっては待ち時間が発生するため、表示内容を視認するユーザの利便性を高める余地がある。更に、拡大表示する場合は通常、表示領域全体を再描画する必要があり、拡大表示前の表示領域におけるどのあたりが拡大表示されたかをユーザが見失ってしまうことがあるため、表示内容を視認するユーザの利便性を高める余地がある。
【０００６】
そこで本発明は、上述の問題点を解消する為になされたものであり、表示内容を視認するユーザの利便性を高めることが可能な情報表示端末、情報表示方法、及び情報表示プログラムを提供することを目的とする。
【課題を解決するための手段】
【０００７】
本発明の一形態に係る情報表示端末は、表示領域において情報を表示する表示手段を備える情報表示端末であって、表示領域において押圧されると押圧位置及び圧力を検知する圧力検知手段と、検知された圧力に基づく倍率で、検知された押圧位置を含む、表示領域における一部領域を拡大表示させる表示制御手段と、を更に備えることを特徴とする。
【０００８】
本発明の一形態に係る情報表示端末によれば、表示領域において押圧されると押圧位置及び圧力が検知され、検知された圧力に基づく倍率で、検知された押圧位置を含む、表示領域における一部領域が拡大表示される。このように、拡大表示する場合であっても表示領域全体を再描画する必要がないことから、表示内容を視認するユーザの利便性を高めることができる。更に、表示領域全体を再描画する必要がないことから、拡大表示前の表示領域におけるどのあたりが拡大表示されたかをユーザが見失ってしまうことがないため、表示内容を視認するユーザの利便性を高めることができる。
【０００９】
別の形態に係る情報表示端末では、圧力検知手段は、圧力の変化をリアルタイムに検知することが可能であり、表示制御手段は、リアルタイムに検知された圧力の変化に基づく倍率で、検知された押圧位置を含む一部領域をリアルタイムに拡大表示させてもよい。
【００１０】
この形態では、リアルタイムに検知された圧力の変化に基づく倍率で、検知された押圧位置を含む一部領域をリアルタイムに拡大表示させることが可能になる。
【００１１】
別の形態に係る情報表示端末では、圧力検知手段は、押圧位置の変化をリアルタイムに検知することが可能であり、表示制御手段は、リアルタイムに検知された押圧位置の変化に基づいて、拡大表示させる一部領域をリアルタイムに移動させてもよい。
【００１２】
この形態では、リアルタイムに検知された押圧位置の変化に基づいて、拡大表示させる一部領域をリアルタイムに移動させることが可能になる。
【００１３】
別の形態に係る情報表示端末では、倍率の変更を指示する入力を受け付けることが可能な入力受付手段を更に備え、表示制御手段は、受け付けられた入力に基づいて倍率を決定して、検知された押圧位置を含む一部領域を拡大表示させてもよい。
【００１４】
この形態では、受け付けられた入力に基づいて倍率を決定して、検知された押圧位置を含む一部領域を拡大表示させることが可能になる。
【００１５】
別の形態に係る情報表示端末では、当該情報表示端末にかかる重力加速度の向きを検知する加速度検知手段を更に備え、表示制御手段は、検知された加速度の向きに基づいて倍率を決定して、検知された押圧位置を含む一部領域を拡大表示させてもよい。
【００１６】
この形態では、検知された加速度の向きに基づいて倍率を決定して、検知された押圧位置を含む一部領域を拡大表示させることが可能になる。
【００１７】
別の形態に係る情報表示端末では、当該情報表示端末にかかる重力加速度の向きを検知する加速度検知手段を更に備え、表示制御手段は、検知された加速度の向きに基づいて、拡大表示させる一部領域を移動させてもよい。
【００１８】
この形態では、検知された加速度の向きに基づいて、拡大表示させる一部領域を移動させることが可能になる。
【００１９】
本発明の一形態に係る情報表示方法は、表示領域において情報を表示する表示手段を備える情報表示端末が行う情報表示方法であって、表示領域において押圧されると押圧位置及び圧力を検知する圧力検知ステップと、検知された圧力に基づく倍率で、検知された押圧位置を含む、表示領域における一部領域を拡大表示させる表示制御ステップと、を有することを特徴とする。
【００２０】
本発明の一形態に係る情報表示方法によれば、表示領域において押圧されると押圧位置及び圧力が検知され、検知された圧力に基づく倍率で、検知された押圧位置を含む、表示領域における一部領域が拡大表示される。このように、拡大表示する場合であっても表示領域全体を再描画する必要がないことから、表示内容を視認するユーザの利便性を高めることができる。更に、表示領域全体を再描画する必要がないことから、拡大表示前の表示領域におけるどのあたりが拡大表示されたかをユーザが見失ってしまうことがないため、表示内容を視認するユーザの利便性を高めることができる。
【００２１】
本発明の一形態に係る情報表示プログラムは、表示領域において情報を表示する表示手段を備える情報表示端末に、表示領域において押圧されると押圧位置及び圧力を検知する圧力検知機能と、検知された圧力に基づく倍率で、検知された押圧位置を含む、表示領域における一部領域を拡大表示させる表示制御機能と、を実現させることを特徴とする。
【００２２】
本発明の一形態に係る情報表示プログラムによれば、表示領域において押圧されると押圧位置及び圧力が検知され、検知された圧力に基づく倍率で、検知された押圧位置を含む、表示領域における一部領域が拡大表示される。このように、拡大表示する場合であっても表示領域全体を再描画する必要がないことから、表示内容を視認するユーザの利便性を高めることができる。更に、表示領域全体を再描画する必要がないことから、拡大表示前の表示領域におけるどのあたりが拡大表示されたかをユーザが見失ってしまうことがないため、表示内容を視認するユーザの利便性を高めることができる。
【発明の効果】
【００２３】
本発明によれば、表示内容を視認するユーザの利便性を高めることが可能な情報表示端末、情報表示方法、及び情報表示プログラムを提供することができる。
【図面の簡単な説明】
【００２４】
【図１】情報表示端末の構成概略を示す模式図である。
【図２】加圧時の圧力の検知が圧力センサーを用いて行われる際のイメージ図である。
【図３】表示部における一部領域の拡大表示の一例のイメージ図である。
【図４】あるサイトのホームページにおける一部領域が拡大表示されたことを示す遷移図である。
【図５】拡大表示されたホームページにおける一部領域が更に拡大表示された実施例である。
【図６】情報表示端末のハードウェア構成図である。
【図７】情報表示端末の機能構成図である。
【図８】タッチパネルにおいて加圧されたことが検知されて、検知された押圧位置を中心に含む円形の一部領域が拡大表示されることを示す遷移図である。
【図９】検知された圧力の変化に基づく倍率で、検知された押圧位置を含む一部領域が拡大表示されることを示す遷移図である。
【図１０】検知された圧力の変化に基づいて拡大幅が変更された一部領域を表示させることを示す遷移図である。
【図１１】検知された押圧位置の変化に基づいて、拡大表示させる一部領域が移動することを示す遷移図である。
【図１２】加速度センサーによりリアルタイムに検知された角度情報及び座標情報に基づいて、拡大表示させる一部領域を移動させることを示す遷移図である。
【図１３】加速度センサーによりリアルタイムに検知された角度情報及び座標情報に基づいて、拡大表示させる一部領域を移動させることを示す遷移図である。
【図１４】加圧時の圧力の検知が静電センサーを用いて行われる際のイメージ図である。
【図１５】情報表示方法の処理内容を示すフローチャートである。
【図１６】情報表示プログラムの構成を示す図である。
【発明を実施するための形態】
【００２５】
本発明に係る情報表示端末、情報表示方法、及び情報表示プログラムの実施形態について図面を参照して説明する。なお、可能な場合には、同一の部分には同一の符号を付して、重複する説明を省略する。
【００２６】
図１は、情報表示端末の構成概略を示す模式図である。図１（ａ）が情報表示端末１の正面図であり、図１（ｂ）が情報表示端末１の側面図である。情報表示端末１は、図１（ａ）に示すようにタッチパネル１４（圧力検知手段）を有する、例えばスマートフォンといった端末装置であって、タッチパネル１４におけるユーザの指（又はタッチペン）等による加圧等の操作を受け付けて、表示領域において各種情報を表示する表示部１７（表示手段）における一部領域（特定エリア）を拡大表示させる装置である。このように一部領域を拡大表示させることによって、ユーザにとっての可読性が向上する。
【００２７】
なお、情報表示端末１は、図１（ｂ）に示すように、加速度センサー１１（加速度検知手段）、取得部１５（圧力検知手段）、及び制御部１６（表示制御手段）を内部に備え、タッチパネル１４及び表示部１７を表面に備え、静電センサー１２（入力受付手段）及び圧力センサー１３を裏面に備えている。各部の詳細な説明は後述するが、概略として、加速度センサー１１、静電センサー１２、圧力センサー１３、及びタッチパネル１４において各種情報を検知して、制御部１６経由でこれらの各種情報を表示部１７へ出力し、画面表示を行う。
【００２８】
図２は、加圧時の圧力の検知が圧力センサー１３を用いて行われる際のイメージ図である。タッチパネル１４に指Ｆが押し付けられると、押し付けた圧力Ｐが圧力センサー１３により検知され、当該圧力Ｐに基づく倍率で、表示部１７における一部領域が拡大表示される。
【００２９】
図３は、表示部１７における一部領域の拡大表示の一例のイメージ図である。図３（ａ）に示すように格子状の模様が表示部１７によって表示された状態で、タッチパネル１４において加圧されたことが検知されると、図３（ｂ）に示すように検知された押圧位置を中心に含む円形の一部領域Ｃが拡大表示される。一部領域Ｃは、魚眼レンズで覗いたように拡大表示される。すなわち、一部領域Ｃの中心に近いほど高い倍率で拡大されて表示される。
【００３０】
図４は、あるサイトのホームページにおける一部領域が拡大表示された実施例である。図４（ａ）に示すように当該ホームページが表示部１７によって表示された状態で、タッチパネル１４において加圧されたことが検知されると、図４（ｂ）に示すように検知された押圧位置を中心に含む円形の一部領域Ｃが拡大表示される。例えば、情報表示端末１のユーザが図４（ａ）における「主なサービス」の種類を確認したい場合に、「主なサービス」の種類が表示された位置近傍を押圧することにより、当該位置近傍が拡大表示されて、ユーザは「主なサービス」の種類が二種類あることを確認できる。
【００３１】
図５は、拡大表示されたホームページにおける一部領域が更に拡大表示された実施例である。図５（ａ）に示すように拡大表示されたホームページが表示部１７によって表示された状態で、タッチパネル１４において更に高い圧力で加圧されたことが検知されると、図５（ｂ）に示すように検知された押圧位置を中心に含む円形の一部領域Ｃが更に拡大表示される。
【００３２】
図６は、情報表示端末１のハードウェア構成図である。情報表示端末１は、物理的には、図６に示すように、演算処理装置であるＣＰＵ１０１、主記憶装置であるＲＡＭ１０２及びＲＯＭ１０３、情報表示端末１に対する操作を受け付ける操作部１０４、通信デバイスである通信部１０５、タッチパネル１４の機能を有するディスプレイ１０６、及びアンテナ１０７等を含むコンピュータシステムとして構成されている。図５に示した各機能は、図６に示すＣＰＵ１０１、ＲＡＭ１０２等のハードウェア上に所定のコンピュータソフトウェアを読み込ませることにより、ＣＰＵ１０１の制御のもとで操作部１０４、通信部１０５、ディスプレイ１０６、アンテナ１０７を動作させるとともに、ＲＡＭ１０２やＲＯＭ１０３におけるデータの読み出し及び書き込みを行うことで実現される。図７を参照し、情報表示端末１の各機能部について詳細に説明する。
【００３３】
加速度センサー１１は、情報表示端末１にかかる重力加速度の向き（例：重力加速度の向きが、タッチパネル面に対して垂直か平行か等）を検知する部分である。加速度センサー１１は、情報表示端末１にかかる重力加速度の向きを検知することにより、上記の拡大表示中における情報表示端末１の地平面に対する傾きを検知し、検知された角度（地平面に対する傾き角度）情報及び座標情報を、取得部１５経由で制御部１６に出力する。
【００３４】
静電センサー１２は、上記の拡大表示中における物理的な接触による押下状態を検知する部分である。静電センサー１２は、物理的な接触による押下状態を、倍率の変更（又は固定）を指示する入力として受け付けることも可能である。静電センサー１２は、物理的な接触による押下位置の移動方向及び距離に関する情報を、取得部１５経由で制御部１６に出力する。
【００３５】
圧力センサー１３は、押圧されると当該押圧時の押圧位置及び圧力を検知する部分である。圧力センサー１３は、物理的な接触による当該押圧時の押圧位置（すなわち、拡大表示の対象となる領域）及び圧力（例：強弱）等の押圧状態を検知することにより、押圧状態情報を、取得部１５経由で制御部１６に出力する。
【００３６】
タッチパネル１４は、上記の表示領域においてユーザの指によって押圧されると当該押圧時の押圧位置及び圧力を検知する部分である。タッチパネル１４は、（ドラッグ操作等の）物理的な接触による当該押圧時の押圧位置及び圧力（例：強弱）等の押圧状態をリアルタイムに検知することにより、物理的な接触による押下位置の移動方向及び距離に関する情報を、取得部１５経由で制御部１６にリアルタイムに出力する。なお、タッチパネル１４は、表示部１７に表示可能なＧＵＩであるボタン、インジケータ等に対するユーザの指による接触状態を検知することも可能である。
【００３７】
取得部１５は、加速度センサー１１、静電センサー１２、圧力センサー１３、及びタッチパネル１４から出力された上記の各種情報を取得すると、これら各種情報を数値化する処理を行って制御部１６に出力する部分である。
【００３８】
制御部１６は、検知された圧力に基づく倍率で、検知された押圧位置を含む一部領域Ｃを表示部１７において拡大表示させる制御を行う部分である。制御部１６は、取得部１５から出力された各種情報に基づいて、拡大表示の対象となる表示領域、拡大表示された後の表示領域、拡大倍率の変更、拡大幅（拡大表示された後の表示領域の幅）の変更、拡大表示された後の表示領域の移動等の制御内容を決定する。そして、制御部１６は、決定された制御内容に基づいて、表示部１７においてリアルタイムに拡大表示させる指示内容が含まれたビジュアル情報を生成し、表示部１７へリアルタイムに出力する。例えば、制御部１６は、図８（ａ）に示すようにホームページが表示部１７によって表示された状態で、タッチパネル１４において加圧されたことが検知されると、図８（ｂ）に示すように検知された押圧位置を中心に含む円形の一部領域Ｃが拡大表示されるよう制御する。
【００３９】
また、制御部１６は、リアルタイムに検知された圧力の変化に基づく倍率で、検知された押圧位置を含む一部領域Ｃを表示部１７でリアルタイムに拡大表示させることが可能である。例えば、図９に示されるように、リアルタイムに検知された圧力の変化（所定圧力より低い圧力の図９（ａ）から、当該所定圧力より高い圧力の図９（ｂ）への変化）に基づく倍率で、検知された押圧位置を含む一部領域Ｃを表示部１７でリアルタイムに拡大表示させることが可能である。
【００４０】
また、制御部１６は、リアルタイムに検知された圧力の変化に基づく倍率で、検知された押圧位置を含む一部領域Ｃの幅を表示部１７でリアルタイムに拡大表示させることが可能である。例えば、図１０に示されるように、リアルタイムに検知された圧力の変化（所定圧力より低い圧力の図１０（ａ）から、当該所定圧力より高い圧力の図１０（ｂ）への変化）に基づいて拡大幅（拡大表示された後の表示領域の幅）が変更された一部領域Ｃを表示部１７で表示させることが可能である。すなわち、拡大表示された後の表示領域の縦幅が、矢印Ａ１，Ａ３で示される縦方向に拡大している。更に、拡大表示された後の表示領域の横幅が、矢印Ａ２，Ａ４で示される横方向に拡大している。拡大幅の変更度合いの説明のため、便宜上、太線のリングの大きさの変化を重畳させている。
【００４１】
また、制御部１６は、リアルタイムに検知された押圧位置の変化に基づいて、拡大表示させる一部領域Ｃをリアルタイムに移動させることが可能である。例えば、図１１に示されるように、リアルタイムに検知された押圧位置の変化（タッチパネルの中央が押圧された図１１（ａ）の状態において、タッチパネルにおける右方向Ａｄへの指のドラッグ操作が検知されて、タッチパネルの右側が押圧された図１１（ｂ）の状態への変化）に基づいて、拡大表示させる一部領域Ｃをタッチパネルの中央からタッチパネルの右側へ移動させることが可能である。領域の変更（移動）の説明のため、便宜上、太線のリングを重畳させている。
【００４２】
また、制御部１６は、加速度センサー１１によりリアルタイムに検知された角度（地平面に対する傾き角度）情報及び座標情報に基づいて、拡大表示させる一部領域Ｃをリアルタイムに移動させることが可能である。例えば、図１２に示されるように、リアルタイムに検知された角度情報及び座標情報の変化（地平面とタッチパネル面が平行な図１２（ａ）の状態において、タッチパネルの左側を地平面に近づけるとともに右側を地平面から遠ざけた図１２（ｂ）の状態への変化）に基づいて、拡大表示させる一部領域Ｃをタッチパネルの中央からタッチパネルの右側へ移動させることが可能である。領域の変更（移動）の説明のため、便宜上、太線のリングを重畳させている。
【００４３】
なお、ユーザが情報表示端末１を逆の方向に傾けることによって、拡大させる一部領域Ｃをタッチパネルの中央からタッチパネルの左側へ移動させることも可能である。すなわち、図１３に示されるように、地平面とタッチパネル面が平行な図１３（ｂ）の状態において、タッチパネルの右側を地平面に近づけるとともに左側を地平面から遠ざけた図１３（ａ）の状態への変化）に基づいて、拡大表示させる一部領域Ｃをタッチパネルの中央からタッチパネルの左側へ移動させることが可能である。このように、拡大表示させる一部領域Ｃをタッチパネルの中央からタッチパネルの左側へ移動させることも可能であり、図１３（ｃ）に示されるようにタッチパネルの右側へ移動させることも可能である。
【００４４】
また、制御部１６は、加速度センサー１１により検知された角度（地平面に対する傾き角度）情報及び座標情報に基づいて倍率を固定させるよう決定し、当該決定された倍率で表示部１７に拡大表示させることも可能である。このような構成が採用された場合、ユーザが情報表示端末１の筐体を傾ける（又は振る）と、加速度センサー１１により角度情報及び座標情報の変化が検知されて、上記の倍率が固定される。
【００４５】
また、制御部１６は、静電センサー１２により検知された上記の押下状態に基づいて倍率を固定させるよう決定し、当該決定された倍率で表示部１７に拡大表示させることも可能である。例えば、図１４（ａ）の情報表示端末１の側面図及び図１４（ｂ）の背面図に示されるように、静電センサー１２が情報表示端末１の背面に設けられており静電センサー１２の裏面に圧力センサー１３が配置された構成において、ユーザの指Ｆが静電センサー１２を斜めになぞったとする。このとき、静電センサー１２によりこのときの押下状態が検知されて、上記の倍率が固定される。
【００４６】
また、制御部１６は、倍率の変更を指示する入力を受け付けることが可能なユーザインタフェース（ボタン、スライダー等）を表示部１７に表示させることが可能である。そして、倍率の変更を指示する入力が当該ユーザインタフェースにより受け付けられた場合、制御部１６は、当該入力に基づいて倍率を固定させるよう決定し、当該決定された倍率で表示部１７に拡大表示させることも可能である。
【００４７】
表示部１７は、制御部１６から出力されたビジュアル情報に基づいて、上記の一部領域Ｃを拡大表示する部分である。表示部１７が、図８（ａ）に示すようにホームページを表示している状態で、タッチパネル１４において加圧されたことが検知されたとする。このとき、表示部１７は、図８（ｂ）に示すように検知された押圧位置を中心に含む円形の一部領域Ｃを拡大表示する。
【００４８】
次に、図１５を参照して、情報表示端末１における情報表示方法について説明する。図１５は、情報表示方法の処理内容を示すフローチャートである。
【００４９】
まず、圧力センサー１３及びタッチパネル１４の少なくとも一方が、ユーザの指により押下されたことを検知する（ステップＳ０１、圧力検知ステップ）。そして、圧力センサー１３及びタッチパネル１４の少なくとも一方が、物理的な接触による押圧時の押圧位置（すなわち、拡大表示の対象領域）及び圧力（例：強弱）等の押圧状態を検知することにより、押圧状態情報を取得する（ステップＳ０２、圧力検知ステップ）。そして、制御部１６が、検知された圧力に基づく倍率で、検知された押圧位置を含む一部領域Ｃを表示部１７において拡大表示させる制御を行う（ステップＳ０３、表示制御ステップ）。
【００５０】
次に、制御部１６が、リアルタイムに検知される圧力の変化の有無に基づいて、拡大表示させた領域の拡大倍率を変更させるか否かを判定する（ステップＳ０４、圧力検知ステップ）。リアルタイムに検知される圧力に変化が有る場合、制御部１６は、拡大表示させた領域の拡大倍率を変更させることを決定し、ステップＳ０５に移行する。一方、リアルタイムに検知される圧力に変化が無い場合、制御部１６は、拡大表示させた領域の拡大倍率を変更させないことを決定し、ステップＳ０７に移行する。
【００５１】
ステップＳ０５では、制御部１６が、（押圧時の圧力の強弱を検知して出力する）圧力センサー１３及び（ＧＵＩであるボタン、インジケータ等に対するユーザの指による接触状態を検出して出力する）タッチパネル１４の少なくとも一方からの出力に基づいて、拡大倍率の変更を指示するビジュアル情報を生成して取得する（圧力検知ステップ）。次に、制御部１６が、生成したビジュアル情報を表示部１７へリアルタイムに出力して、表示部１７が、制御部１６から出力されたビジュアル情報に基づいて、倍率を変更して拡大表示する（ステップＳ０６、表示制御ステップ）。そして、ステップＳ０７に移行する。
【００５２】
ステップＳ０７では、制御部１６が、加速度センサー１１から出力された角度情報及び座標情報と、圧力センサー１３から出力された押圧状態情報との少なくとも一方に基づいて、拡大表示させた領域の拡大倍率を固定させるか否かを判定する（圧力検知ステップ）。角度情報、座標情報、及び押圧状態情報の変化が検知された場合、制御部１６は、上記の拡大倍率を固定することを決定し、ステップＳ０８に移行する。一方、角度情報、座標情報、及び押圧状態情報の何れの変化も検知されない場合、制御部１６は、上記の拡大倍率を固定しないことを決定し、ステップＳ１０に移行する。
【００５３】
ステップＳ０８では、制御部１６が、（押圧時の圧力の強弱を検知して出力する）圧力センサー１３、（ＧＵＩであるボタン、インジケータ等に対するユーザの指による接触状態を検出して出力する）タッチパネル１４、及び（情報表示端末１にかかる重力加速度の向きを検知して出力する）加速度センサー１１の少なくとも一方からの出力に基づいて、拡大倍率の固定を指示するビジュアル情報を生成して取得する（圧力検知ステップ）。次に、制御部１６が、生成したビジュアル情報を表示部１７へリアルタイムに出力して、表示部１７が、制御部１６から出力されたビジュアル情報に基づいて、拡大倍率を固定した表示を行う（ステップＳ０９、表示制御ステップ）。そして、ステップＳ１０に移行する。
【００５４】
ステップＳ１０では、制御部１６が、リアルタイムに検知される圧力の変化の有無に基づいて、拡大幅（拡大表示させた表示領域の幅）を変更させるか否かを判定する（圧力検知ステップ）。リアルタイムに検知される圧力に変化が有る場合（ドラッグ操作、ピンチ操作等が検知された場合）、制御部１６は、拡大幅を変更させることを決定し、ステップＳ１１に移行する。一方、リアルタイムに検知される圧力に変化が無い場合（ドラッグ操作、ピンチ操作等が検知されない場合）、制御部１６は、拡大幅を変更させないことを決定し、ステップＳ１３に移行する。
【００５５】
ステップＳ１１では、制御部１６が、（押圧時の圧力の強弱を検知して出力する）圧力センサー１３及び（ＧＵＩであるボタン、インジケータ等に対するユーザの指による接触状態を検出して出力する）タッチパネル１４の少なくとも一方からの出力に基づいて、拡大幅の変更を指示するビジュアル情報を生成して取得する（圧力検知ステップ）。次に、制御部１６が、生成したビジュアル情報を表示部１７へリアルタイムに出力して、表示部１７が、制御部１６から出力されたビジュアル情報に基づいて、拡大幅を変更して拡大表示する（ステップＳ１２、表示制御ステップ）。そして、ステップＳ１３に移行する。
【００５６】
ステップＳ１３では、制御部１６が、加速度センサー１１から出力された角度情報及び座標情報と、圧力センサー１３から出力された押圧状態情報との少なくとも一方に基づいて、拡大表示させる一部領域Ｃをリアルタイムに移動させるか否かを判定する。角度情報、座標情報、及び押圧状態情報の変化が検知された場合、制御部１６は、拡大表示させる一部領域Ｃをリアルタイムに移動させること（領域変更）を決定し、ステップＳ１４に移行する。一方、角度情報、座標情報、及び押圧状態情報の何れの変化も検知されない場合、制御部１６は、拡大表示させる一部領域Ｃを移動させないことを決定し、一連の処理は終了する。
【００５７】
ステップＳ１４では、制御部１６が、（情報表示端末１にかかる重力加速度の向きを検知して出力する）加速度センサー１１、（物理的な接触による押下状態を検知する）静電センサー１２、及び（ドラッグ操作等のユーザの指による接触状態を検出して出力する）タッチパネル１４の少なくとも一方からの出力に基づいて、表示領域を移動させる領域変更を指示するビジュアル情報を生成して取得する（圧力検知ステップ）。次に、制御部１６が、生成したビジュアル情報を表示部１７へリアルタイムに出力して、表示部１７が、制御部１６から出力されたビジュアル情報に基づいて、表示領域を移動させる領域変更を行う（ステップＳ１５、表示制御ステップ）。そして、一連の処理は終了する。
【００５８】
次に、コンピュータを、本実施形態の情報表示端末１として機能させるための情報表示プログラムについて説明する。図１６は、情報表示プログラムＭの構成を示す図である。
【００５９】
情報表示プログラムＭは、入力、演算、出力処理を統括的に制御するメインモジュールＭ０、加速度センサーモジュールＭ１、静電センサーモジュールＭ２、圧力センサーモジュールＭ３、タッチパネルモジュールＭ４、取得モジュールＭ５、制御モジュールＭ６、及び表示モジュールＭ７を備えて構成される。そして、各モジュールＭ１〜Ｍ７のそれぞれにより、情報表示端末１における各機能部１１〜１７それぞれのための各機能が実現される。なお、情報表示プログラムＭは、通信回線等の伝送媒体を介して伝送される態様であってもよいし、ＣＤ等の記録媒体に記憶される態様であってもよい。
【００６０】
以上説明した本実施形態の情報表示端末１、情報表示方法、及び情報表示プログラムＭによれば、表示領域において押圧されると押圧位置及び圧力が検知され、検知された圧力に基づく倍率で、検知された押圧位置を含む一部領域が拡大表示される調整が行われる。このように、拡大表示する場合であっても表示領域全体を再描画する必要がない（すなわち、拡大表示対象の領域以外は再描画する必要がない）ことから、表示内容を視認するユーザの可読性が高まってユーザの利便性を高めることができる。更に、表示領域全体を再描画する必要がないことから、拡大表示前の表示領域におけるどのあたりが拡大表示されたかをユーザが見失ってしまうことがないため、表示内容を視認するユーザの利便性を更に高めることができる。
【００６１】
以上、本発明をその実施形態に基づいて詳細に説明した。しかし、本発明は上記実施形態に限定されるものではない。本発明は、その要旨を逸脱しない範囲で様々な変形が可能である。例えば、拡大表示を行うにあたって、表示部１７において背景色と文字色との間のコントラストが比較的近いためにユーザにとって視認しにくい場合、拡大表示の対象として選択された領域のみコントラストを変更してユーザにとって視認しやすくすることも可能である。
【産業上の利用可能性】
【００６２】
本発明によれば、表示内容を視認するユーザの利便性を高めることが可能な情報表示端末、情報表示方法、及び情報表示プログラムを提供することができる。
【符号の説明】
【００６３】
１…情報表示端末、１１…加速度センサー、１２…静電センサー、１３…圧力センサー、１４…タッチパネル、１５…取得部、１６…制御部、１７…表示部、Ａ１〜Ａ４…矢印、Ｃ…一部領域、Ｆ…指、Ｍ…情報表示プログラム、Ｍ０…メインモジュール、Ｍ１…加速度センサーモジュール、Ｍ２…静電センサーモジュール、Ｍ３…圧力センサーモジュール、Ｍ４…タッチパネルモジュール、Ｍ５…取得モジュール、Ｍ６…制御モジュール、Ｍ７…表示モジュール、Ｐ…圧力。
【図１】
2014191611.tif 000003
【図２】
2014191611.tif 000004
【図３】
2014191611.tif 000005
【図４】
2014191611.tif 000006
【図５】
2014191611.tif 000007
【図６】
2014191611.tif 000008
【図７】
2014191611.tif 000009
【図８】
2014191611.tif 000010
【図９】
2014191611.tif 000011
【図１０】
2014191611.tif 000012
【図１１】
2014191611.tif 000013
【図１２】
2014191611.tif 000014
【図１３】
2014191611.tif 000015
【図１４】
2014191611.tif 000016
【図１５】
2014191611.tif 000017
【図１６】
2014191611.tif 000018